(57)【特許請求の範囲】
【請求項１】
切断された標識柱の地面に埋没した根元に押圧挿入され、前記切断された標識柱の基部を起立固定するための切断標識保持具であって、
前記地面に埋没した根元に押圧挿入される直交する長軸部用案内固定板と短軸部用案内固定板とからなる差し込み拡張板部と、
前記差し込み拡張板部が固着され、前記埋没した根元の開口部を塞ぐためのテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記栓の前記テーパ部が、前記差し込み拡張板部が前記地面に埋没した根元に押圧挿入された後に、前記地面に埋没した根元の開口部を塞ぐように押圧挿入され、
前記栓を前記標識柱保持部に固定するための前記固定手段が、複数の矩形状の固定板であって、下端に前記地面から突き出た根元との干渉を防ぐためのニゲを有することを特徴とする切断標識保持具。
【請求項２】
前記標識柱保持部が、四角断面を有する角筒形状を有し、外周面の前記地面に埋没した根元と接する側に、内部に溜まった雨水を外部に逃がすための穴またはニゲを有することを特徴とする請求項１に記載の切断標識保持具。
【請求項３】
前記締結機構は、前記標識柱保持部の外周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにして成ることを特徴とする請求項１または２に記載の切断標識保持具。
【発明の詳細な説明】
【技術分野】
【０００１】
本発明は、自動車等の衝突や接触により、根元から切断されたり、折り曲げられて根元にひびが入ったりしたために折り取った標識柱を、元の機能を損なわずに保持するための切断標識保持具に関するものである。
【背景技術】
【０００２】
現在、道路の側辺には多くの標識柱やミラー設置柱等が設置されているのは周知の通りである。しかし、これら標識柱やミラー設置柱は、自動車等の衝突により曲げられたり、切断されてしまう場合が多々ある。この場合、新たな標識柱やミラー設置柱を再度設置することも考えられるが、多くのコストがかかってしまうという問題があった。
【０００３】
そこで、例えば特許文献１には、切断された標識を迅速に元の位置に保持させて起立再生することができる切断標識保持具に関する技術が開示されている。特許文献１に記載された切断標識保持具について以下に説明する。
【０００４】
図５（ａ）は、特許文献１の切断標識保持具Ｙの構造を示す一部切欠かれた斜視図である。図５（ｂ）は、標識保持具Ｙを使って、切断された標識柱ａを補修した状態を示す図である。標識保持具Ｙは、切断された標識柱ａの地中に残った標識柱ａ１に叩打して固定される差し込み拡張板部５１を有している。そして、この差し込み拡張板部５１は、互いに直交する長軸部用案内固定板５２と短軸部用案内固定板５３とを備え、両板の頂部には対角線部５４を形成している。長軸部用案内固定板５２と短軸部用案内固定板５３は、上部にそれぞれ突出部５５，５６を有し、この突出部５５，５６は、標識柱保持部５７に固着される。標識柱保持部５７の全周面５８には、各面の中心線（ｏ−ｏ）上の対角線部５４より上方に８箇所の締結機構５９を備えている。この締結機構５９は、全周面５８の各面に透過孔６０が穿たれてナット６１が溶接固着され、六角穴付き止めボルト６２が螺合されている（図５（ｃ））。
【０００５】
載置板６３は対角線部５４に載置され、対角線部５４を補強し、挿し込まれる切断された標識柱ａの切断端面の支持固定を確実にする。上述の構成において、地中に残った標識柱ａ１に、切断標識保持具Ｙの拡張板部５１を差し込み、打ち込み台６４を介してハンマーなどを用いて切断標識保持具Ｙを植え込む。次に、打ち込み台６４が取り出され、切断された標識柱ａの切断側下端が挿入され、六角穴付き止めボルト６２で固定される。
【先行技術文献】
【特許文献】
【０００６】
【特許文献１】特許第５２７１４４１号公報
【発明の概要】
【発明が解決しようとする課題】
【０００７】
特許文献１の標識保持具Ｙでは、対角線部５４の上に設置された載置板６３は、標識柱保持部５７の内壁に隙間なく固定されている。そのため降雨により雨水が標識保持具Ｙの上部から侵入した場合、標識保持具Ｙと挿し込んだ標識柱の間（図５（ｂ），Ａ部）に水が溜まり、錆びが発生したり、蚊が発生するという問題があった。
【０００８】
また、地中に残った標識柱ａ１の上部が地表から僅かに露出している場合がある。この場合、この露出した部分と、長軸部用案内固定板５２の突出部５５又は短軸部用案内固定板５３の突出部５６が干渉してしまい（図５（ｂ），Ｂ部）、標識柱保持部５７の下端と地表との間に隙間ができる場合があった。そして、この隙間に歩行者の足先が入ったり、子供が指先を差し入れたりすると、事故が発生する危険性があった。更に、この隙間から雨水が侵入して、地中に残った標識柱ａ１の内部（図５（ｂ），Ｃ部）に水が溜まり、錆びが発生したり、また蚊等が発生するという問題もあった。
【０００９】
本発明は、上記課題を解決するためになされたものであり、地中に残った標識柱や地表上の保持具の内部に水が溜まらず、かつ地表と保持具の間に隙間が生じない切断標識保持具を提供することを目的とする。
【課題を解決するための手段】
【００１０】
本発明は、上記課題を解決するため以下の構成を有する。
【００１１】
（１）切断された標識柱の地面に埋没した根元に押圧挿入され、前記切断された標識柱の基部を起立固定するための切断標識保持具であって、
前記地面に埋没した根元に押圧挿入される直交する長軸部用案内固定板と短軸部用案内固定板とからなる差し込み拡張板部と、
前記差し込み拡張板部が固着され、前記埋没した根元の開口部を塞ぐためのテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記栓の前記テーパ部が、前記差し込み拡張板部が前記地面に埋没した根元に押圧挿入された後に、前記地面に埋没した根元の開口部を塞ぐように押圧挿入され、
前記栓を前記標識柱保持部に固定するための前記固定手段が、複数の矩形状の固定板であって、下端に前記地面から突き出た根元との干渉を防ぐためのニゲを有することを特徴とする切断標識保持具。
【００１２】
（２）前記標識柱保持部が、四角断面を有する角筒形状を有し、外周面の前記地面に埋没した根元と接する側に、内部に溜まった雨水を外部に逃がすための穴またはニゲを有することを特徴とする前記（１）に記載の切断標識保持具。
【００１３】
（３）前記締結機構は、前記標識柱保持部の外周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにして成ることを特徴とする前記（１）または（２）に記載の切断標識保持具。
【発明の効果】
【００１５】
本発明によれば、地中に残った標識柱や地表上の保持具の内部に水が溜まらず、かつ地表と保持具の間に隙間が生じない切断標識保持具を提供することができる。
【図面の簡単な説明】
【００１６】
【図１】実施例の切断標識保持具の構成を示す斜視図
【図２】実施例の完成した切断標識保持具の縦断面図
【図３】実施例の切断標識保持具の側面状態を示す図
【図４】実施例の切断標識保持具の使用状態を示す断面図
【図５】従来の切断標識保持具の構成を示す図
【発明を実施するための形態】
【００１７】
本発明の実施するための形態を、図面を参照しつつ以下に説明する。
【実施例】
【００１８】
本発明の切断標識保持具Ｘの構成を図１によって説明する。切断標識保持具Ｘは、図１（ａ）に示したように基本的には下方の差し込み拡張板部１と栓４、上部固定板５及び標識柱保持部７から構成されている。そして、差し込み拡張板部１は、短軸部用案内固定板３と長軸部用案内固定板２によって構成されている。なお、長軸部用案内固定板２の先端部は、図１（ａ）に示したように先細りの形状であれば、地中に残った標識柱に挿入しやすい。栓４は、図１（ｂ）に示したように下方のテーパ形状を有するテーパ部４ｂと上方の円柱形状の円柱部４ａにより構成されている。短軸部用案内固定板３と長軸部用案内固定板２はともに栓４のテーパ部４ｂに固定されている。固定は、溶接，ロー付け等によって行ってもよいし、あるいはロストワックス，ダイキャスト等の型を用いて一体的に作製してもよい。
【００１９】
上部固定板５（固定手段）は栓４の円柱部４ａの周面に固定されており、短軸部用案内固定板３と長軸部用案内固定板２が固定された栓４を、標識柱保持部７に接続固定する機能を有している。なお、上部固定板５を栓４に固定する際には、図示したようにニゲ６が形成されるようにする。これは、栓４の頂部が打ち込み台を介してハンマーなどで打たれた場合に、上部固定板５の損傷を防ぐためである。更に、上部固定板５の下端にはニゲ５ａが設けられている。これについては、後述する。標識柱保持部７の底面側の四隅には、図示したように切欠き７ａが設けられており、この切欠き７ａに上部固定板５が挿入され溶接等によって固定、接続される。標識柱保持部７は断面が矩形状の筒体であり、その外周面８には、各面２個ずつ計８個の締結機構９が設けられている。この締結機構９は、すでに述べた締結機構５９と同一である。
【００２０】
図２は、完成した切断標識保持具Ｘの縦断面図である。図２（ａ）に示した断面Ａ−Ａ，Ｂ−Ｂ，Ｃ−Ｃ，Ｄ−Ｄの断面図が、図２（ｂ）〜（ｅ）に示されている。
【００２１】
図３は、切断標識保持具の側面の状態を示す図である。図３（ａ）は、標識柱保持部７の外周面８の底部に複数の穴１０が形成されている。この穴１０は、標識柱保持部７の内部に侵入した雨水等を外に逃がすための穴である。図３（ｂ）は、標識柱保持部７の外周面８の底部に複数の小判状の切欠き１１が形成された状態を示し、図３（ｃ）は、円弧状の切欠き１２が形成された状態を示している。この小判状の切欠き１１、円弧状の切欠き１２も標識柱保持部７の内部に侵入した雨水等を外に逃がすために設けられている。
【００２２】
図４は、切断標識保持具Ｘを用いて切断された標識ａを補修した状態を示す図である。地中には、地中に残った標識柱ａ１が埋没している。この地中に残った標識柱ａ１の根元に切断標識保持具Ｘの差し込み拡張板部１を挿入し、栓４の上部を打ち込み台を介してハンマーなどを用いて切断標識保持具Ｘを植え込む。この際、地中に残った標識柱ａ１の地表開口部は、栓４のテーパ部４ｂによって完全に塞がれた状態になる。従って、地中に残った標識柱ａ１の中に雨水等が溜まることはない。
【００２３】
また、標識柱保持部７の外周面８は、地表面において、地中に残った標識柱ａ１の外側に位置し、地中に残った標識柱ａ１が地表面から突き出たとしても干渉することはない。しかし、図４に示したように地中に残った標識柱ａ１が地表面から突き出て上部固定板５と干渉することは有り得るが、上部固定板５にはニゲ５ａが形成されているため、干渉することはない。この結果、標識柱保持部７の外周面８と地表との間に隙間が発生することはないので、地中に残った標識柱ａ１の内部に雨水等が侵入することはない。また、地表と切断標識保持具Ｘの間に隙間が生じることもない。
【００２４】
打ち込みが完了したら打ち込み台を外した後、切断された標識柱ａの基部を上側から挿入して、締結機構９の六角穴付き止めボルトまたは六角ボルトによって固定する。
【００２５】
本実施例の切断標識保持具Ｘでは、栓４のテーパ部４ｂによって地中に残った標識柱ａ１の内部に雨水等が侵入することはなく衛生的である。また、標識柱保持部７の下端面に切欠きがあるため、上部から入った雨水等が該切欠き部から外へ排出されるため、標識柱保持部の内部に雨水等が溜まることはない。更に、隙間がないため、子供等のつま先がひっかかることもない。
【００２６】
本実施例によれば、地中に残った標識柱や地表上の保持具の内部に水が溜まらず、かつ地表と保持具の間に隙間が生じない切断標識保持具を提供することができる。
【符号の説明】
【００２７】
１        差し込み拡張板部
２        長軸部用案内固定板
３        短軸部用案内固定板
４        栓
４ａ      円柱部
４ｂ      テーパ部
５        上部固定板（固定手段）
５ａ，６  ニゲ
７        標識柱保持部
８        外周面
９        締結機構
１０      穴
１１      小判状の切欠き
１２      円弧状の切欠き
ａ        切断された標識柱
ａ１      地中に残った標識柱
Ｘ        切断標識保持具
【図１】
0005930219.tif 000002
【図２】
0005930219.tif 000003
【図３】
0005930219.tif 000004
【図４】
0005930219.tif 000005
【図５】
0005930219.tif 000006